(57)【特許請求の範囲】
【請求項１】
屋根の交差軒先角部の樋上に形成する樋水返し具において、アール形状に屈曲し、親水性塗料あるいは親水性フィルムを塗布、あるいは貼着した伝水導入面を形成すると共に、複数個の流水孔を形成し、伝水導入面の上端角部を上方に突出した固定面を形成したことを特徴とする樋水返し具。
【発明の詳細な説明】
【０００１】
【産業上の利用分野】
本発明は、屋根の交差軒先角部に取り付け、屋根の谷部に集まった雨水が樋にスムーズに流れ込むように形成した樋水返し具に関するものである。
【０００２】
【従来の技術】
従来は、図１１（ａ）、（ｂ）に示すように、降雨により二点鎖線矢印で示すように屋根の谷部に集まった雨水Ｒが、一般部に比べて多いために、点線矢印で示すように軒樋Ｄに流れ込まずに下の屋根や地面に直接落ちてしまうことがあった。このため、図１２（ａ）、（ｂ）に示すように、軒樋Ｄに樋水返し具Ａを形成するものであった。
【０００３】
【発明が解決しようとする課題】
しかしながら、図１２（ａ）、（ｂ）に示すような樋水返し具Ａでは、外部に露出するために美観性に劣るものであった。また、積雪時に破損する危険性があった。
【０００４】
【課題を解決するための手段】
本発明はこのような欠点を除去するため、屋根の交差軒先角部の樋上に形成する樋水返し具において、アール形状に屈曲し、親水性塗料あるいは親水性フィルムを塗布、あるいは貼着した伝水導入面を形成すると共に、複数個の流水孔を形成し、伝水導入面の上端角部を上方に突出した固定面を形成した樋水返し具を提案するものである。
【０００５】
【実施例】
以下に、図面を用いて本発明に係る樋水返し具について詳細に説明する。図１、図２（ａ）、（ｂ）は屋根の交差軒先角部である谷部に樋水返し具Ａを使用した一例を示す説明図であり、樋水返し具Ａ、屋根材Ｂ、谷樋Ｃ、軒樋Ｄ、軒樋取付具Ｅよりなるものである。また、αは屋根下地、βは固定具、Ｒは雨水である。
【０００６】
樋水返し具Ａは図３に示すように、Ｒ状に屈曲した伝水導入面１と、伝水導入面１の下端を内側方に突出した水切り面２と、伝水道入面１の先端角部を上方に突出した固定面３とから形成すると共に、伝水導入面１には雨水Ｒが軒樋Ｄに流下する流水孔１ａを形成したものである。素材としてはカラー鋼板の他、各種金属材料、合成樹脂材料を用いるもので、押出、ロールフォーミング、折り曲げ、プレス加工、等の成形方法により形成するものである。また、図４、図５は樋水返し具Ａ施工前の状態を示す説明図である。
【０００７】
樋水返し具Ａは、屋根の交差軒先角部である谷部の軒樋Ｃ部分に形成し、谷部に集まった雨水Ｒを屋根の交差軒先角部から、図１１（ａ）、（ｂ）のように飛び出してしまうことのないように形成するものである。
【０００８】
伝水導入面１は、図２（ｂ）に示すように、谷部を流下し、次第に増量した雨水Ｒをアール状の形状に沿って流下させ、軒樋Ｃ内に落水するものである。
【０００９】
流水孔１ａは雨水Ｒを軒樋Ｄに流下させると共に、雨水Ｒの流速を低減するために形成したものである。勿論、その形状は円・楕円・三角形・四角形・多角形等、任意である。
【００１０】
水切り面２は雨水Ｒの落水を助長するものであり、固定面３は屋根下地αに樋水返し具Ａを固定するための部分である。
【００１１】
図６（ａ）〜（ｂ）は、樋水返し具Ａの基材上に、（ａ）は親水性塗料あるいは親水性フィルム４を塗布、あるいは貼着したもの、（ｂ）は珪砂等６を散布し、表面に親水性塗料あるいは親水性フィルム４を塗布、あるいは貼着したものである。
【００１２】
さらに素材としてプラスチック等を使用した場合は、帯電防止剤等親水性を向上する材料を練り込んだものであれば、同様な効果が得られる。なお、親水性塗料あるいは親水性フィルム４等の親水性材料の特徴は、図６（ｃ）に示すように、(1)親水性が高いと、接触面と水滴（雨水Ｒ）の接触角θが小となり、図６（ｄ）に示すように接触角θが大きくなると撥水性が高くなる。なお、親水性と言われる範囲は０度≦θ≦６０度である。また、(2)接触角θが小さくなれば水の体積が同じでも接触面との接触面積が大きくなる。(3)斜面を水が流れる場合、接触面積が大きいほど抵抗が大きくなり、流速が遅くなる。(4)そのために、軒先より雨水Ｒが飛び出しにくい。等である。
【００１３】
次に、本発明に係る樋水返し具の施工例について簡単に説明する。いま図４、図５に示すような谷部に、図３に示すような樋水返し具Ａを形成するとする。図２（ａ）に示すように、固定具βにより屋根下地αに固定面３を固定する。この場合には、谷部の両方屋根下地αの面に固定面３が固定できるようにする。以上で完了である。
【００１４】
次に、本発明に係る樋水返し具の動作についてさらに説明する。雨水Ｒが図１、図２（ｂ）の点線矢印に示すように流れてくると、雨水Ｒが流水孔１ａにより軒樋Ｄに流下すると共に、流下しなかった雨水Ｒは流速が遅くなる。その後、樋水返し具Ａの伝水導入面１上を雨水Ｒが沿うように流れ、軒樋Ｄに流下するものである。伝水導入面１のアール形状に沿って下方に流下すると、流体の特性であるコアンダ効果、ティーポット効果により鉛直線イ方向より内側に回り込むことになる。
【００１５】
以上説明したのは本発明に係る樋水返し具の一実施例にすぎず、図７（ａ）〜（ｊ）、図８（ａ）〜（ｃ）、図９（ａ）〜（ｃ）、図１０に示すように樋水返し具Ａを形成することができる。
【００１６】
図７（ａ）〜（ｊ）は伝水導入面１、水切り面２、等を種々変化した場合である。
【００１７】
図８（ａ）〜（ｃ）、図９（ａ）〜（ｃ）は伝水導入面１、水切り面２、固定面３、等を種々変化した場合であり、特に図９（ｂ）、（ｃ）は両端部にカバー面８を形成した樋水返し具Ａである。
【００１８】
図１０は伝水導入面１に段差９を形成し、雨水Ｒの流速をさらに減速させる樋水返し具Ａである。
【００１９】
【発明の効果】
上述したように本発明に係る樋水返し具によれば、(1)雪等による軒樋の破損を防止して耐久性を向上する。(2)積雪地域でも樋水返し具が使用できる。(3)樋水返し具にあって、段差の形成、コアンダ効果、ティーポット効果が有効に機能する形状、親水性向上材料を採用すること、等で上記効果を持続して発揮することができる。(4)谷部より雨水が飛び出さず、スムーズに軒樋内に流れ込む。(5)外部から見えず、美観性がよい。等の特徴、効果がある。
【図面の簡単な説明】
【図１】本発明に係る樋水返し具の施工状態を示す説明図である。
【図２】本発明に係る樋水返し具の施工状態を示す説明図である。
【図３】本発明に係る樋水返し具を示す説明図である。
【図４】本発明に係る樋水返し具を施工する前の状態を示す説明図である。
【図５】本発明に係る樋水返し具を施工する前の状態を示す説明図である。
【図６】樋水返し具のその他の例を示す説明図である。
【図７】樋水返し具のその他の例を示す説明図である。
【図８】樋水返し具のその他の例を示す説明図である。
【図９】樋水返し具のその他の例を示す斜視図である。
【図１０】樋水返し具のその他の例を示す斜視図である。
【図１１】従来の状態を示す説明図である。
【図１２】従来の状態を示す説明図である。
【符号の説明】
Ａ  樋水返し具
Ｂ  屋根材
Ｃ  谷樋
Ｄ  軒樋
Ｅ  軒樋取付具
Ｒ  雨水
α  屋根下地
β  固定具
１  伝水導入面
１ａ  流水孔
２  水切り面
３  固定面
４  親水性塗料あるいは親水性フィルム
５  凹溝
６  珪砂等
７  凸リブ
８  カバー面
９  段差
【図１】
0004482199.tif 000002
【図２】
0004482199.tif 000003
【図３】
0004482199.tif 000004
【図４】
0004482199.tif 000005
【図５】
0004482199.tif 000006
【図６】
0004482199.tif 000007
【図７】
0004482199.tif 000008
【図８】
0004482199.tif 000009
【図９】
0004482199.tif 000010
【図１０】
0004482199.tif 000011
【図１１】
0004482199.tif 000012
【図１２】
0004482199.tif 000013